(57)【要約】【課題】足場を用いる建築現場等に簡単に設置することが可能な資材搬送リフトを提供する。【解決手段】資材搬送リフト１に、上下に延びたレール１１、及びレール１１から延出し足場Ａに固定される複数のレール固定片１２を有したレール部材１０と、レール部材１０の上部に取付けられる一対の基部２１、一対の基部２１によって固定された軸部、軸部に外嵌された外筒部２３、及び外筒部２３から延出し先端にチェーンブロックＨが取付けられるブロック取付部２４を有したハンガー部材２０と、レール１１によって昇降可能、且つ、回転不能に取付けられる基部４１及び結合部材４２、及び結合部材４２から水平に延出し先端にチェーンＣが取付けられるチェーン取付部４３を有したスライド部材４０と、上側が開放されたボックス状に形成され上下に延びた支柱部材６１の一つがスライド部材４０に取付けられる荷台６０と、を具備させる。【選択図】図１
2014152467.tif 000002
【特許請求の範囲】
【請求項１】
断面が多角形で上下に延びたレール、及び所定間隔で該レールから延出し足場に固定される複数のレール固定片を有したレール部材と、
該レール部材の上部に上下に離間して取付けられる一対の基部、一対の該基部によって上端と下端が固定されており前記レールと平行に延びた軸部、該軸部に対して回転可能に外嵌された筒状の外筒部、及び該外筒部から水平に延出しており先端にチェーンブロックが取付けられるブロック取付部を有したハンガー部材と、
該ハンガー部材よりも下側の位置で前記レールによって昇降可能、且つ、該レールの周りを回転不能に取付けられるスライド部、及び該スライド部から水平に延出しており先端にチェーンブロックからのチェーンが取付けられるチェーン取付部を有したスライド部材と、
上方に開放されたボックス状に形成されており、上下に延びた一辺で前記スライド部材に取付けられる荷台と
を具備することを特徴とする資材搬送リフト。
【請求項２】
前記基部は、
前記レールによって昇降可能、且つ、該レールの周りを回転不能に取付けられ、且つ、
前記ハンガー部材は、
前記基部に取付けられており、前記レール固定片に上から当接することにより下向きに回動し、該レール固定片が下から当接することにより回動が阻止される保持板を備えた落下防止機構を更に有していることを特徴とする請求項１に記載の資材搬送リフト。
【請求項３】
前記ハンガー部材は、
前記レール固定片に当接し、前記基部を貫通した棒状のロック部材を更に有していることを特徴とする請求項２に記載の資材搬送リフト。
【発明の詳細な説明】
【技術分野】
【０００１】
本発明は、建築現場で足場部材や建築部材等の資材を搬送するための資材搬送リフトに関するものである。
【背景技術】
【０００２】
建築現場では、高所の足場と地上との間で、足場部材や建築部材等の資材を上げ下ろす作業が一般的に行われている。そして、この作業の省力化を図るため、足場用パイプに固定され上下に延びた一対のガイドレールと、ガイドレールに沿って移動可能なかご型の荷台と、足場の上部に設置され、荷台の上部に固定されたチェーンを巻き上げるチェーンブロックとを備えた資材搬送リフトが提案されている（特許文献１）。
【０００３】
しかしながら、特許文献１の技術では、一対のガイドレールを荷台の両側に配置しているため、ガイドレールを固定するために足場をコ字状に組む必要があり、足場の構築に手間がかかる問題があった。また、特許文献１の技術では、足場をコ字状に組む必要があるため、資材搬送リフトの設置に広いスペースが必要となり、建築現場によってはスペースの制限によって資材搬送リフトを設置することができない問題があった。
【発明の概要】
【発明が解決しようとする課題】
【０００４】
そこで、本発明は上記の実情に鑑み、足場を用いる建築現場等に簡単に設置することが可能な資材搬送リフトの提供を課題とするものである。
【課題を解決するための手段】
【０００５】
上記の課題を解決するために、本発明に係る資材搬送リフトは、「断面が多角形で上下に延びたレール、及び所定間隔で該レールから延出し足場に固定される複数のレール固定片を有したレール部材と、該レール部材の上部に上下に離間して取付けられる一対の基部、一対の該基部によって上端と下端が固定されており前記レールと平行に延びた軸部、該軸部に対して回転可能に外嵌された筒状の外筒部、及び該外筒部から水平に延出しており先端にチェーンブロックが取付けられるブロック取付部を有したハンガー部材と、該ハンガー部材よりも下側の位置で前記レールによって昇降可能、且つ、該レールの周りを回転不能に取付けられるスライド部、及び該スライド部から水平に延出しており先端にチェーンブロックからのチェーンが取付けられるチェーン取付部を有したスライド部材と、上方に開放されたボックス状に形成されており、上下に延びた一辺で前記スライド部材に取付けられる荷台とを具備する」ことを特徴とする。
【０００６】
ここで、「スライド部」としては、「多角形のレールの各面と接触する複数のローラを備えたもの」、「レールに対して摺動可能に外嵌され、内形がレールの外形に沿って形成されもの」、等を例示することができる。また、スライド部は、取付けられる荷台の大きさに応じて、上下に複数備えても良い。なお、スライド部を複数備えた場合は、最も上側のスライド部からチェーン取付部を延出させることが望ましい。
【０００７】
また、「チェーン取付部」の延出方向としては、「足場の外面に対して直角方向」、「足場の外面に対して平行方向」、等を例示することができる。
【０００８】
更に、「荷台」としては、「平面視の外形が四角形の荷台」、「平面視の外形が多角形の荷台」、「平面視の外形が円形の荷台」、等を例示することができる。
【０００９】
本発明の資材搬送リフトによれば、足場の外側にレール部材のレール固定片を固定し、ハンガー部材のブロック取付部にチェーンブロックを取付けると共に、チェーンブロックから延びたチェーンをスライド部材のチェーン取付部に取付けることで、チェーンブロックによって荷台を昇降させることができる。そして、本発明では、上下に延びた一本のレール部材によってスライド部材を介して荷台を昇降させているため、従来のように足場をコ字状に組む必要がなく、足場にレール部材を固定するだけで簡単に設置することができる。また、荷台のスペースを確保することができれば、資材搬送リフトを設置することができるため、多様な建築現場に対応可能な資材搬送リフトとすることができる。
【００１０】
また、荷台は、上下に延びた一辺のみでスライド部材に取付けているため、荷台に対して資材を出し入れする時に、スライド部材やレール部材等が妨げとなることがなく、資材を出し入れし易くすることができる。
【００１１】
更に、ハンガー部材におけるチェーンブロックが取付けられるブロック取付部を、外筒部において回転させることができるため、チェーンブロックをブロック取付部に取付けたり取外したりする時に、ブロック取付部を足場側に回転させることで、チェーンブロックの取付作業等を可及的に足場に近い位置で行うことができる。従って、チェーンブロックの取付作業時や取外作業時の安全性を高めることができる。
【００１２】
ところで、荷台の一辺のみをスライド部材に取付けて荷台を昇降させているため、荷台を大きくしたり荷台に重い資材を載せたりした場合、荷台が傾き易くなると共に、スライド部材のスライド部とレール部材のレールとの間で偏荷重が作用し、スライド部やレールが偏摩耗して不具合が発生する虞がある。これに対して本発明では、ハンガー部材のブロック取付部を、回転させることができるため、ブロック取付部を足場の外面と略平行でスライド部材に取付けられた荷台と同じ側へ延出するように回転させると共に、スライド部材をレール部材に対してチェーン取付部が足場の外面と略平行で荷台と同じ側へ延出するように取付ける。これにより、チェーン取付部に取付けられたチェーンによって、スライド部材を介して荷台に対し、スライド部材に取付けられた部位とは反対側が持ち上げられるような力を作用させることができ、スライド部材やレール部材にかかる偏荷重を低減させることができる。従って、建築現場等に応じて、容易に荷台を大きくしたり重い資材を搬送したりすることができ、汎用性の高い資材搬送リフトとすることができる。
【００１３】
また、本発明に係る資材搬送リフトは、上記の構成に加えて、「前記基部は、前記レールによって昇降可能、且つ、該レールの周りを回転不能に取付けられ、且つ、前記ハンガー部材は、前記基部に取付けられており、前記レール固定片に上から当接することにより下向きに回動し、該レール固定片が下から当接することにより回動が阻止される保持板を備えた落下防止機構を更に有している」ことを特徴としても良い。
【００１４】
本発明によれば、基部を介してハンガー部材を昇降させることができるため、レール部材からハンガー部材を取外さなくても、ハンガー部材を昇降させることで、足場における任意の高さにハンガー部材を簡単に移動させることができる。その際に、落下防止機構において、保持板の上からレール固定片が当接すると、保持板が下向きに回動するため、ハンガー部材をレールから取外さなくてもレール固定片を上方へ移動させることができる。一方、保持板の下からレール固定片が当接すると、保持板が回動しないため、ハンガー部材がレール固定片よりも下方へ移動するのを阻止することができる。従って、落下防止機構によってハンガー部材が落下するのを防止しつつ、上方へはハンガー部材を自由に移動させることができるため、進行状況に応じて、足場の高さが高くなったり低くなったりする建築現場でも、簡単に対応することができると共に安全性の高い資材搬送リフトとすることができる。
【００１５】
更に、本発明に係る資材搬送リフトは、上記の構成に加えて、「前記ハンガー部材は、
前記レール固定片に当接し、前記基部を貫通した棒状のロック部材を更に有している」ことを特徴としても良い。
【００１６】
これにより、ハンガー部材のロック部材を、基部を貫通した状態とすることによって、ロック部材がレール固定片に当接するため、ハンガー部材がレールに沿って落下するのを防止することができる。また、落下防止機構と併用した場合、より安全性の高い資材搬送リフトとすることができる。
【発明の効果】
【００１７】
このように、本発明によれば、足場を用いる建築現場等に簡単に設置することが可能な資材搬送リフトを提供することができる。
【図面の簡単な説明】
【００１８】
【図１】本発明の一実施形態である資材搬送リフトの全体を示す斜視図である。
【図２】図１の資材搬送リフトにおけるハンガー部材を示す斜視図である。
【図３】（ａ）は図２のハンガー部材の平面図であり、（ｂ）はハンガー部材の一部を示す底面図である。
【図４】図２のハンガー部材の一部を示す背面図である。
【図５】図１の資材搬送リフトのスライド部材における上スライド部材を示す斜視図である。
【図６】図１の資材搬送リフトにおける使用状態の一例を示す説明図である。
【発明を実施するための形態】
【００１９】
本発明の一実施形態である資材搬送リフト１について、図１乃至図６を参照して詳細に説明する。本実施形態の資材搬送リフト１は、建築現場等で組まれた足場Ａに固定することで、足場Ａを構築するための足場部材や建築部材等の資材を搬送するものである。
【００２０】
本実施形態の資材搬送リフト１は、足場Ａに対して上下に延びた状態で固定されたレール部材１０と、レール部材１０の上部に取付けられたハンガー部材２０と、ハンガー部材２０よりも下側でレール部材１０によって昇降可能に取付けられたスライド部材４０と、スライド部材４０に取付けられたボックス状の荷台６０と、を備えている。この資材搬送リフト１は、チェーンブロックＨがハンガー部材２０に取付けられると共に、チェーンブロックＨから延びたチェーンＣがスライド部材４０（上スライド部材４０Ａ）に取付けられる。これにより、チェーンブロックＨによってチェーンＣを巻き上げたり巻き下げたりすることで、スライド部材４０を介して荷台６０を昇降させることができる。
【００２１】
続いて、資材搬送リフト１の各構成について詳細に説明する。レール部材１０は、図１及び図３に示すように、断面が四角形で上下に延びたレール１１と、レール１１からその長手方向に間隔をあけてレール１１に対して直角方向へ延出した複数のレール固定片１２と、レール固定片１２の先端に備えられた固定クランプ１３と、を備えている。レール１１は、角筒状に形成されており、上端に長手方向へ突出した連結部１１ａを有している。この連結部１１ａは、角筒内周の対角線上に延びた一対の板体によって構成されている。レール固定片１２は、断面がコ字形状に形成されており、レール１１における平面視一つの頂点から対角線の延長線上に延びている。固定クランプ１３は、足場Ａを構成するパイプ部材を挟持することができる公知のクランプによって構成されている。本実施形態のレール部材１０は、レール１１の上端の連結部１１ａを、他のレール１１の下端に挿入することで、上下に連結することができる。
【００２２】
次に、ハンガー部材２０について説明する。ハンガー部材２０は、図２に示すように、上下に離間してレール部材１０に取付けられる一対の基部２１と、一対の基部２１によって上端と下端が固定された円筒状の軸部２２と、軸部２２に対して回転可能に外嵌された角筒状の外筒部２３と、外筒部２３の上部から水平に延出した角筒状のブロック取付部２４と、ブロック取付部２４の先端に取付けられた環状のハンガーフック２５と、を備えている。また、ハンガー部材２０は、レール部材１０のレール固定片１２に当接する棒状のロック部材２６と、ロープ等で足場Ａに繋げることでハンガー部材２０の落下を防ぐための補助フック２７と、ハンガー部材２０（基部２１）の落下を防止する落下防止機構３０と、を備えている。なお、ロック部材２６、補助フック２７、及び落下防止機構３０は、上側の基部２１に備えられている。
【００２３】
基部２１は、図１及び図３に示すように、水平面に沿って延びた平板状のベース部２１ａと、ベース部２１ａを貫通していると共に一方側へ開放しており上下方向にレール部材１０（レール１１とレール固定片１２）が通過可能な切欠部２１ｂと、ベース部２１ａにおける切欠部２１ｂの開放された側とは反対側に固定されており上下に延びた角筒状の結合部２１ｃと、ベース部２１ａの下面に取付けられておりレール１１の四つの外側面を夫々転動可能な四つのガイドローラ２１ｄと、ベース部２１ａの上面から切欠部２１ｂを通過したレール部材１０を囲むように上方へ延出した壁部２１ｅと、を備えている。
【００２４】
基部２１の切欠部２１ｂは、図３に示すように、レール固定片１２が通過する部位において開放された側がレール１１よりも狭く形成されている。これにより、切欠部２１ｂに挿入されたレール１１が、開放された側から抜けるのが防止されている。また、結合部２１ｃは、上下に延出した状態でベース部２１ａに固定されている。更に、壁部２１ｅは、切欠部２１ｂが開放している側で開放し、切欠部２１ｂを挟んで互いに平行に延びていると共に、他方側が結合部２１ｃに接続されている。この基部２１は、四つのガイドローラ２１ｄによって、レール１１に沿って移動可能（昇降可能）、且つ、レール１１の周りを回転不能に取付けることができる。
【００２５】
なお、上側の基部２１は、壁部２１ｅの開放端側で互いに平行に延びた部位の外側に形成され、ロック部材２６を支持するための一対の支持板２１ｆと、支持板２１ｆ及び壁部２１ｅを貫通しておりロック部材２６が通過可能なロック孔２１ｇと、を備えている。
【００２６】
軸部２２は、上端と下端が上下の基部２１の結合部２１ｃ内に夫々挿入されている。この軸部２２の上端側は、ボルト２２ａが結合部２１ｃの外側から貫通しており、ボルト２２ａの先端に螺合されたナット２２ｂによって締結固定されている。また、軸部２２の下端側は、固定ピン２２ｃが結合部２１ｃの外側から貫通した状態で、結合部２１ｃに対して溶接等によって固定されている。この軸部２２は、上下の基部２１の結合部２１ｃに取付けることで、レール１１と平行に延びている。
【００２７】
外筒部２３は、上下の基部２１の結合部２１ｃ同士の間で軸部２２に外嵌されている。これにより、外筒部２３は、円筒状の軸部２２によって回転することができる。また、ブロック取付部２４は、長手方向の中間部分から外筒部２３の下部に向って斜めに延びた一対の補強板２４ａを備えている。ブロック取付部２４は、外筒部２３に対して溶接によって固定されている。
【００２８】
ロック部材２６は、全体がＬ字状に形成されており、基部２１における壁部２１ｅ及び支持板２１ｆに形成されたロック孔２１ｇに挿入されている。なお、図示は省略するが、ロック部材２６は、支持板２１ｆのロック孔２１ｇから抜けるのを防止するための抜止めを備えている。このロック部材２６は、両側の支持板２１ｆ及び壁部２１ｅを貫通させることで、レール固定片１２に当接可能となり、支持板２１ｆ同士の間（切欠部２１ｂの開放された部位）を、レール部材１０のレール固定片１２が通過するのを阻止して、ハンガー部材２０がレール１１の下端まで落下するのを防止することができる。また、補助フック２７は、図示するように、上側の基部２１における結合部２１ｃから上方へ延出しており、逆Ｕ字状に形成されている。
【００２９】
落下防止機構３０は、レール部材１０のレール固定片１２に当接可能な平板状の保持板３１と、保持板３１を回動可能に支持する回動軸３２と、回動軸３２と平行に配置され保持板３１の回動位置を規制する規制部材３３と、保持板３１が回動軸３２から抜けるのを防止する抜止めピン３４と、を備えている。落下防止機構３０の保持板３１は、図４に示すように、回転軸３２が挿通される軸孔３１ａと、軸孔３１ａから規制部材３３までよりも長く延びた当接片部３１ｂと、当接片部３１ｂに対して略直角方向へ軸孔３１ａの周縁から当接片部３１ｂよりも長く延びた操作片部３１ｃと、操作片部３１ｃとは軸孔３１ａに対して反対方向で当接片部３１ｂから遠ざかる方向へ規制部材３３までよりも短く延びた復帰片部３１ｄと、を備えている。また、保持板３１は、操作片部３１ｃの先端にフック３１ｅを備えても良い。回転軸３２及び規制部材３３は、夫々が円柱状に形成されており、壁部２１ｅにおける一対の支持板２１ｆの上端に、先端が壁部２１ｅの開放端よりも外方へ延びだした状態で夫々取付けられている。
【００３０】
この落下防止機構３０は、通常の状態では当接片部３１ｂの先端が、規制部材３３の下側に当接している。これにより、ハンガー部材２０が下降した時には、保持板３１の当接片部３１ｂの下辺がレール部材１０のレール固定片１２に当接し、ハンガー部材２０の下降を阻止することができる。一方、ハンガー部材２０を上昇させた時には、当接片部３１ｂの上辺がレール固定片１２に当接するため、当接片部３１ｂが下向きに回動し、ハンガー部材２０がレール固定片１２を越えて上側へ移動することができる。
【００３１】
ハンガー部材２０をレール固定片１２よりも下降させる場合は、当接片部３１ｂとレール固定片１２とが当接しないように、当接片部３１ｂの先端が下方へ移動する方向（図４における矢印方向）へ操作片部３１ｃ（保持板３１）を回動させる。ところで、当接片部３１ｂをレール固定片１２と当接しないように回動させると、図４において二点鎖線で示すように、復帰片部３１ｄがレール固定片１２の上側に位置する。この状態でハンガー部材２０を下降させると、レール固定片１２が下側から復帰片部３１ｄに当接するため、復帰片部３１ｄを介して保持板３１が逆方向に回動し、通常の状態に復帰する。従って、落下防止機構３０は、何らかの理由により、当接片部３１ｂがレール固定片１２と当接しない状態でハンガー部材２０が落下した場合、上述したように、復帰片部３１ｄがレール固定片１２に当接して通常の状態に復帰するため、落下を開始してから少なくとも二つ下のレール固定片１２が下から当接片部３１ｂに当接し、ハンガー部材２０の落下を防止することができる。なお、落下防止機構３０は、外筒部２３、ブロック取付部２４、及びハンガーフック２５が回転しない本実施形態とは異なるハンガー部材に備えても良い。
【００３２】
次に、スライド部材４０について説明する。スライド部材４０は、図５に示すように、荷台６０の上部が取付けられる上スライド部材４０Ａと、荷台６０の下部が取付けられる下スライド部材４０Ｂとを備えている。まず、上スライド部材４０Ａについて説明する。上スライド部材４０Ａは、レール１１によって案内され上下に離間して配置された基部４１と、基部４１同士を結合すると共に上端が上側の基部４１から上方へ延出した角筒状の結合部材４２と、結合部材４２の上端から水平に延出した角筒状のチェーン取付部４３と、チェーン取付部４３の先端側に取付けられた逆Ｕ字状のチェーンフック４４と、結合部材４２から外方へ平板状に延出し荷台６０を取付けるための取付片４５と、を備えている。
【００３３】
また、上スライド部材４０Ａは、上側の基部４１に備えられレール部材１０に対して上下位置を固定する棒状のロック部材４６と、レール１１の外周を囲み結合部材４２の上端に取付けられた補助ガイド４７と、を備えている。更に、上スライド部材４０Ａは、結合部材４２における上側の基部４１が固定された位置から、チェーン取付部４３における結合部材４２に固定された基端とチェーンフック４４が取付けられた位置との間へ向って斜めに延びていると共に、上端がチェーン取付部４３よりも上方へ延出した一対の補強板４８を備えている。また、上スライド部材４０Ａは、チェーン取付部４３の上側で一対の補強板４８の間に配置されたスペーサ部材４９と、スペーサ部材４９及び一対の補強板４８を貫通した固定ピン５０と、結合部材４２とチェーン取付部４３との間に斜めに架渡されたコイルバネ５１と、を備えている。
【００３４】
基部４１は、水平面に沿って延びた平板状のベース部４１ａと、ベース部４１ａを貫通していると共に一方側へ開放されており上下方向にレール部材１０が通過可能な切欠部４１ｂと、ベース部４１ａの下面に取付けられておりレール１１の四つの外側面を夫々転動可能な四つのガイドローラ４１ｃと、ベース部４１ａの上面から切欠部４１ｂを通過したレール部材１０を囲むように上方へ延出した壁部４１ｄと、を備えている。この基部４１は、ハンガー部材２０の基部２１と、略同じ構成とされている。
【００３５】
基部４１の切欠部４１ｂは、レール固定片１２が通過する部位において開放された側がレール１１よりも狭く形成されているため、切欠部４１ｂに挿入されたレール１１が、開放された側から抜けるのが防止されている。また、壁部４１ｄは、切欠部４１ｂが開放している側で開放し、切欠部４１ｂを挟んで互いに平行に延びていると共に、他方側が結合部材４２に接続されている。この基部４１は、四つのガイドローラ４１ｃによって、レール１１に沿って移動可能（昇降可能）、且つ、レール１１の周りを回転不能に取付けることができる。
【００３６】
なお、上側の基部４１は、壁部４１ｄの開放端側で互いに平行に延びた部位の外側に形成され、ロック部材４６を支持するための一対の支持板４１ｅと、支持板４１ｅ及び壁部４１ｄを貫通しておりロック部材４６が通過可能なロック孔４１ｆと、を備えている。
【００３７】
取付片４５は、複数（ここでは三つ）の貫通孔４５ａが上下に並んで形成されている。ロック部材４６は、全体がＬ字状に形成されており、基部４１における壁部４１ｄ及び支持板４１ｅに形成されたロック孔４１ｆに挿入されている。なお、図示は省略するが、ロック部材４６は、支持板４１ｅのロック孔４１ｆから抜けるのを防止するための抜止めを備えている。このロック部材４６は、ハンガー部材２０のロック部材２６と同様の機能を有しており、支持板４１ｅを貫通させることでレール部材１０のレール固定片１２と当接することができ、スライド部材４０（荷台６０）の落下を防止することができる。なお、荷台６０を昇降させる時には、ロック部材４６を一方の支持板４１ｅから引き抜き、先端をＬ字状に折れ曲がった基端側に近い支持板４１ｅにのみ支持させた状態、つまり、ロックを解除した状態とする（図５を参照）。
【００３８】
補助ガイド４７は、結合部材４２の上端に固定された平板状のベース部４７ａと、ベース部４７ａを貫通していると共に一方側へ開放されており上下方向にレール部材１０が通過可能な切欠部４７ｂと、ベース部４７ａの上面から切欠部４７ｂを通過したレール部材１０を囲むように上方へ延出した壁部４７ｃと、を備えている。補助ガイド４７の切欠部４７ｂは、基部２１、４１の切欠部２１ｂ、４１ｂと同じ形状に形成されている。また、壁部４７ｃは、他方側がチェーン取付部４３に接続されている。
【００３９】
本実施形態のスライド部材４０における下スライド部材４０Ｂは、図１に示すように、レール１１によって案内される一つの基部４１と、基部４１に対してレール１１に平行に固定された角筒状の取付支持部材５２と、取付支持部材５２から外方へ平板状に延出し荷台６０を取付けるための取付片４５と、を備えている。この下スライド部材４０Ｂは、基部４１が上スライド部材４０Ａにおける下側の基部４１と、また、取付片４５が上スライド部材４０Ａの取付片４５とが、夫々同一の構成であるため、同一の符号を付して説明は省略する。なお、取付支持部材５２は、基部４１から下方へ延出した状態で基部４１に固定されている。
【００４０】
なお、図１及び図５に示した上スライド部材４０Ａでは、チェーン取付部４３が、基部４１における切欠部４１ｂが開放された側とは反対側へ向って延出した、つまり、足場Ａの外面から遠ざかる方向へ延出した例を示したが、これに限定するものではなく、図６に示すように、足場Ａの外面と略平行に延出したチェーン取付部４３としても良い。
【００４１】
ここで、本実施形態におけるスライド部材４０の基部４１及び結合部材４２は、本発明のスライド部に相当する。
【００４２】
次に、荷台６０について説明する。荷台６０は、図１に示すように、全体が上下に長い直方体状に形成されている。荷台６０は、上下に延びた四つの支柱部材６１と、上下に離間して四つの支柱部材６１によって支持された下籠部６２及び上籠部６３と、一つの支柱部材６１から外方へ平板状に延出した被取付片６４と、を備えている。
【００４３】
下籠部６２及び上籠部６３は、平面視四角形に形成された底壁部材６５と、平面視長辺側の外周面を形成する一対の長壁部材６６と、平面視短辺側の外周面を形成する一対の短壁部材６７と、を備え、上方が開放されたボックス状に形成されている。ている。これら底壁部材６５、長壁部材６６、及び短壁部材６７は、上下に延びた辺が支柱部材６１によって支持されている。また、底壁部材６５、長壁部材６６、及び短壁部材６７は、網状に形成されている。
【００４４】
下籠部６２は、底壁部材６５、長壁部材６６、及び短壁部材６７が、支柱部材６１に対して着脱不能に固定されている。一方、上籠部６３は、一対の長壁部材６６及び一対の短壁部材６７のうち互いに隣接した長壁部材６６と短壁部材６７とが支柱部材６１に対して着脱不能に固定されていると共に、残りの隣接した長壁部材６６と短壁部材６７が支柱部材６１に対して着脱可能に取付けられている。また、上籠部６３は、底壁部材６５において、支柱部材６１に固定された長壁部材６６と隣接した辺が回動可能に支持部材６１に支持されていると共に、残りの辺が上方へのみ移動可能に支持部材６１に支持されている。これにより、上籠部６３は、底壁部材６５を回動させて支柱部材６１に固定された長壁部材６６と平行な状態に、底壁部材６５を立ち上げることができる。つまり、荷台６０では、上籠部６３を底壁がない状態とすることができ、下籠部６２から上籠部６３を貫通するような長尺の資材を収容することができる。
【００４５】
本実施形態の荷台６０は、上籠部６３における着脱可能とされた長壁部材６６を足場Ａに向けた時に、その長壁部材６６と着脱不能とされた短壁部材６７とが隣接した支柱部材６１に被取付片６４が備えられている。従って、上籠部６３における着脱可能に取付けられた短壁部材６７は、スライド部材４０（レール部材１０）から遠ざかった位置に取付けられている。これにより、荷台６０をスライド部材４０に取付けることで、上籠部６３の足場Ａに面した長壁部材６６を取外すことができ、資材の出し入れがし易い。また、上籠部６３におけるレール部材１０から遠ざかった側の短壁部材６７を、取外すことができるため、レール部材１０に阻害されることなく短壁部材６７側からも、資材の出し入れがし易い。
【００４６】
被取付片６４は、支柱部材６１の上部と下部に夫々備えられている。また、被取付片６４は、図示は省略するが、スライド部材４０の取付片４５に形成された複数の貫通孔４５ａの間隔と同じ間隔で上下に形成された複数の貫通孔を備えている。被取付片６４の貫通孔と取付片４５の貫通孔４５ａとを一致させてボルトやピンを挿入することで、荷台６０をスライド部材４０に取付けることができる。
【００４７】
続いて、本実施形態の資材搬送リフト１の足場Ａへの取付けについて説明する。まず、レール部材１０の固定クランプ１３を、足場Ａを構築する上下に延びている足場パイプに対して下側から順に固定する。なお、資材を搬送する高さに応じて、必要数のレール部材１０を連結部１１ａを用いて上側に連結する。レール部材１０を足場Ａに沿って上方へ延ばす際に、レール部材１０のレール１１にスライド部材４０（上スライド部材４０Ａ及び下スライド部材４０Ｂ）の基部４１を挿通させてスライド部材４０をレール部材１０に対して支持させると共に、スライド部材４０に荷台６０を取付けておく。
【００４８】
続いて、足場Ａに固定したレール部材１０の上端からハンガー部材２０の基部２１を挿入し、ハンガー部材２０をレール部材１０に対して支持させる。そして、ハンガー部材２０のロック部材２６を、レール部材１０のレール固定片１２を構成する一対の板体の間を貫通させた状態とする。これにより、ハンガー部材２０がレール部材１０に対して取付けられた状態となる。この状態で、ハンガー部材２０のハンガーフック２５にチェーンブロックＨを取付けると共に、チェーンブロックＨから延びたチェーンＣの先端をスライド部材４０のチェーンフック４４に取付ける。これにより、足場Ａへの資材搬送リフト１の取付けが完了する。
【００４９】
なお、ハンガー部材２０をレール１１に沿って上方へ移動させる場合は、ロック部材２６によるロックを解除した状態でハンガー部材２０を上方へ移動させる。ハンガー部材２０が上方へ移動する際に、落下防止機構３０において保持板３１の当接片部３１ｂがレール部材１０のレール固定片１２に上から当接しても、保持板３１は回動軸３２周りに回動し、当接片部３１ｂの先端が下方へ移動するため、ハンガー部材２０の移動を妨げることなく上方へ移動させることができる。
【００５０】
一方、ハンガー部材２０をレール１１に沿って下方へ移動させる場合は、ロック部材２６によるロックを解除すると共に、落下防止機構３０の保持板３１を回動させて当接片部３１ｂがレール固定片１２に当接しないようにした状態で下方へ移動させる。操作片部３１ｃを作業者が手で直接操作して保持板３１を回動させる場合は、ハンガー部材２０の下降に伴って作業者が下方へ移動し、各レール固定片１２において保持板３１を回動させる必要がある。これに対して、フック３１ｅを備えた保持板３１とした場合では、フック３１ｅに一端が引っ掛けられたロープを、例えば、足場Ａにおいてハンガー部材２０よりも上側の部位を経由して足場Ａの下部へと垂下させる。そして、足場Ａの下部に配置された作業者が、そのロープを下方へ引っ張ることで、フック３１ｅを介して保持板３１を回動させ当接片部３１ｂによるロックを解除すると共に、フック３１ｅを介してロープでハンガー部材２０を吊り下げながら下方へ移動させる。これにより、一人の作業者でも簡単にハンガー部材２０を下方へ移動させることができる。
【００５１】
ところで、荷台６０に重い資材を載せる場合や、スライド部材２０により大きな荷台６０を取付ける場合は、図６に示すように、ハンガー部材２０のブロック取付部２４を足場Ａの外面と略平行でスライド部材４０に取付けられた荷台６０と同じ側へ延出するように回転させる（図示、矢印方向）。一方、スライド部材４０では、足場Ａの外面と略平行で、且つ、荷台６０と同じ側へ延出したチェーン取付部４３を有した上スライド部材４０Ａを、レール部材１０に取付ける。これにより、チェーン取付部４３に取付けられたチェーンＣによって、スライド部材４０を介して荷台６０に対し、スライド部材４０に取付けられた部位とは反対側が持ち上げられる力を作用させることができ、重い資材や大きい荷台６０に対応させることができる。
【００５２】
このように、本実施形態の資材搬送リフト１によれば、上下に延びた一本のレール部材１０によってスライド部材４０を介して荷台６０を昇降させているため、従来のように足場をコ字状に組む必要がなく、足場Ａにレール部材１０を固定するだけで簡単に設置することができる。また、荷台６０のスペースを確保することができれば、資材搬送リフト１を設置することができるため、多様な建築現場に対応可能な資材搬送リフト１とすることができる。
【００５３】
また、荷台６０における上下に延びた四つの支柱部材６１のうち一つの支柱部材６１のみをスライド部材４０に取付けているため、荷台６０に対して資材を出し入れする時に、スライド部材４０やレール部材１０等が妨げとなることがなく、資材を出し入れし易くすることができる。
【００５４】
更に、ハンガー部材２０のブロック取付部２４を、円筒状の軸部２２に外嵌された外筒部２３において回転させることができるため、チェーンブロックＨをブロック取付部２４に取付けたり取外したりする時に、ブロック取付部２４を足場Ａ側に回転させることで、チェーンブロックＨの取付作業等を可及的に足場Ａに近い位置で行うことができ、チェーンブロックＨの取付作業時や取外作業時の安全性を高めることができる。
【００５５】
また、ハンガー部材２０のブロック取付部２４を回転させてチェーンブロックＨの位置を変えることができるため、チェーンＣによってスライド部材４０を介して荷台６０に対し、スライド部材４０に取付けられた部位とは反対側が持ち上げられるような力を作用させることが可能となる。従って、スライド部材４０やレール部材１０にかかる偏荷重を低減させることができるため、建築現場等に応じて、容易に荷台６０を大きくしたり重い資材を搬送したりすることができ、汎用性の高い資材搬送リフト１とすることができる。
【００５６】
また、ハンガー部材２０を基部２１を介して昇降させることができるため、レール部材１０からハンガー部材２０を取外さなくても、足場Ａにおける任意の高さにハンガー部材２０を簡単に位置させることができる。その際に、ハンガー部材２０のロック部材２６を、基部２１を貫通した状態とすると共に、一対の支持板２１ｆとレール固定片１２とを貫通した状態とすることによって、ロック部材２６がレール固定片１２に当接し、ハンガー部材２０がレール１１に沿って落下するのを防止することができる。従って、進行状況に応じて、足場Ａの高さが高くなったり低くなったりする建築現場でも、簡単に対応することができると共に安全性の高い資材搬送リフト１とすることができる。
【００５７】
更に、ハンガー部材２０では、ロック部材２６の他に、落下防止機構３０によっても落下するのを防止することができるため、より安全性の高い資材搬送リフト１とすることができる。また、ハンガー部材２０をレール部材１０に取付ける際に、落下防止機構３０によってハンガー部材２０を所定位置に保持させることで、ロック部材２６によってロックする作業を行い易くすることができ、足場Ａに対して簡単に資材搬送リフト１を設置することができる。
【００５８】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５９】
例えば、上記の実施形態では、チェーン取付部４３の延びた方向が異なる二つの形態の上スライド部材４０Ａ（図５、図６を参照）によって、重い資材や大きい荷台６０に対応させる例を示したが、これに限定するものではなく、上スライド部材４０Ａを、チェーン取付部４３が足場Ａから遠ざかる方向へ延びた状態と、足場Ａの外面に略平行に延びた状態との何れの状態でもレール部材１０に取付けられるようにしても良い。或いは、上スライド部材４０Ａにおけるチェーン取付部４３を、ハンガー部材２０のブロック取付部２４と同様に、一対の基部４１に対して回転可能に支持させるようにしても良い。
【符号の説明】
【００６０】
１  資材搬送リフト
１０  レール部材
１１  レール
１２  レール固定片
２０  ハンガー部材
２１  基部
２２  軸部
２３  外筒部
２４  ブロック取付部
２５  ハンガーフック
２６  ロック部材
３０  保持機構
３１  保持板
４０  スライド部材
４０Ａ  上スライド部材
４０Ｂ  下スライド部材
４１  基部（スライド部）
４２  結合部材（スライド部）
４３  チェーン取付部
４４  チェーンフック
４５  取付片
４６  ロック部材
４７  補助ガイド
６０  荷台
６１  支柱部材
６２  下籠部
６３  上籠部
Ａ  足場
Ｈ  チェーンブロック
Ｃ  チェーン
【先行技術文献】
【特許文献】
【００６１】
【特許文献１】特許第４３９７４３１号公報
【図１】
2014152467.tif 000003
【図２】
2014152467.tif 000004
【図３】
2014152467.tif 000005
【図４】
2014152467.tif 000006
【図５】
2014152467.tif 000007
【図６】
2014152467.tif 000008